(57)【要約】【課題】カートリッジの交換に伴う対応の自由度を高められる技術を提供する。【解決手段】水栓装置から分離しているとともに浴室壁部１６に固定される浴室用機能部品３６と、浴室用機能部品３６と一体化されている改質ユニット３８であって、水栓装置から吐水装置に至る給水路を流れる原水を改質可能なカートリッジ６２を有する改質ユニット３８と、を備え、改質ユニット３８は、カートリッジ６２を収容するケーシング６４を有し、ケーシング６４は、機能部品３６に着脱可能に接続される。【選択図】図５
2019082084.tif 000002
【特許請求の範囲】
【請求項１】
水栓装置から分離しているとともに浴室壁部に固定される浴室用機能部品と、
前記機能部品と一体化されている改質ユニットであって、前記水栓装置から吐水装置に至る給水路を流れる原水を改質可能なカートリッジを有する改質ユニットと、を備え、
前記改質ユニットは、前記カートリッジを収容するケーシングを有し、
前記ケーシングは、前記機能部品に着脱可能に接続される浴室用機能ユニット。
【請求項２】
前記ケーシングは、前記機能部品から突出するように設けられ、その基端部が前記機能部品に着脱可能に接続される請求項１に記載の浴室用機能ユニット。
【請求項３】
前記基端部には、前記給水路が通る開口部が設けられ、
前記給水路は、前記開口部のみを通して前記ケーシング内を経由するように設けられる請求項２に記載の浴室用機能ユニット。
【請求項４】
前記ケーシングは、前記浴室壁部の法線方向と交差する方向に突出するように設けられる請求項２または３に記載の浴室用機能ユニット。
【請求項５】
前記機能部品は、長尺部を有し、
前記ケーシングは、前記長尺部の長手方向の延長上において、前記機能部品から前記長手方向に突出するように設けられる請求項２から４のいずれかに記載の浴室用機能ユニット。
【請求項６】
前記ケーシングは、上向きに開いた開口部を有する有底筒状をなす請求項１から５のいずれかに記載の浴室用機能ユニット。
【請求項７】
前記ケーシング及び前記カートリッジは、前記ケーシング内に前記カートリッジを収容した状態で前記機能部品に装着可能に構成される請求項１から６のいずれかに記載の浴室用機能ユニット。
【請求項８】
前記ケーシング及び前記カートリッジは、前記ケーシング内に前記カートリッジを収容した状態で前記機能部品から離脱可能に構成される請求項１から７のいずれかに記載の浴室用機能ユニット。
【請求項９】
前記機能部品は、浴室用物品又は入浴者の荷重を受けるためのものである請求項１から８のいずれかに記載の浴室用機能ユニット。
【請求項１０】
前記ケーシングは、前記浴室壁部から隙間を空けて配置される請求項１から９のいずれかに記載の浴室用機能ユニット。
【請求項１１】
前記隙間には、前記機能部品に接続されるホースが配置される請求項１０に記載の浴室用機能ユニット。
【請求項１２】
前記機能部品は、前記給水路において前記カートリッジより上流側に設けられる一次側通水路を有し、
前記カートリッジ内に水が流出する前記一次側通水路の水流出口は、下向きに開いている請求項１から１１のいずれかに記載の浴室用機能ユニット。
【発明の詳細な説明】
【技術分野】
【０００１】
本発明は、浴室用機能部品を用いた浴室用機能ユニットに関する。
【背景技術】
【０００２】
シャワーヘッド等の吐水装置に供給される水の浄化を目的として、吐水装置に給水するための給水路に浄水カートリッジを組み込む場合がある。たとえば、特許文献１には、シャワーフックがスライド可能なスライドバーの内部に浄水カートリッジを組み込んだ給湯水装置が開示されている。この給湯水装置では、浄水カートリッジを収容するスライドバーが浴室壁部に直接に固定されている。
【先行技術文献】
【特許文献】
【０００３】
【特許文献１】特開２００３−１７４９７７号公報
【発明の概要】
【発明が解決しようとする課題】
【０００４】
本発明者は、浄水カートリッジ等のカートリッジをスライドバー等の浴室用機能部品に組み付けることを検討している。本発明者は、このような検討の過程で、カートリッジの交換に伴う対応の自由度を高める観点から、特許文献１の開示技術に関して改良の余地があるとの認識を得た。
【０００５】
本発明のある態様は、このような課題に鑑みてなされ、その目的の１つは、カートリッジの交換に伴う対応の自由度を高められる技術を提供することにある。
【課題を解決するための手段】
【０００６】
前述の課題を解決するための本発明のある態様は浴室用機能ユニットである。第１態様浴室用機能ユニットは、水栓装置から分離しているとともに浴室壁部に固定される浴室用機能部品と、前記機能部品と一体化されている改質ユニットであって、前記水栓装置から吐水装置に至る給水路を流れる原水を改質可能なカートリッジを有する改質ユニットと、を備え、前記改質ユニットは、前記カートリッジを収容するケーシングを有し、前記ケーシングは、前記機能部品に着脱可能に接続される。
【０００７】
第１態様によれば、カートリッジの交換にあたり、ケーシングも交換できるようになる。このため、カートリッジの交換に伴う対応の自由度を高められる。
【図面の簡単な説明】
【０００８】
【図１】実施形態の浴室ユニットを示す斜視図である。
【図２】実施形態の浴室ユニットに用いられる水路を示す構成図である。
【図３】実施形態の機能ユニットを周辺構造とともに示す正面図である。
【図４】実施形態の機能ユニットの一部を示す側面図である。
【図５】実施形態の機能ユニットの一部を模式的に示す側面断面図である。
【図６】実施形態の機能ユニットの一部の斜視図である。
【図７】実施形態の改質ユニットの一部の拡大図である。
【図８】実施形態の機能部品から改質ユニットを取り外した状態を示す図である。
【図９】実施形態の機能部品に改質ユニットを装着する前の状態を示す断面図である。
【図１０】図３の改質ユニットの周辺構造の拡大図である。
【図１１】図７の矢視Ｐｅから機能部品の被接続部を見た図である。
【図１２】実施形態の機能部品からケーシングを離脱させる途中状態を示す図である。
【図１３】機能部品に対する一次側ホースや二次側ホースの接続位置を示す模式図である。
【図１４】機能部品に対する一次側ホースや二次側ホースの接続位置を示す他の模式図である。
【発明を実施するための形態】
【０００９】
以下、実施形態、変形例では、同一の構成要素に同一の符号を付し、重複する説明を省略する。また、各図面では、説明の便宜のため、構成要素の一部を適宜省略したり、構成要素の寸法を適宜拡大、縮小して示す。
【００１０】
図１は、実施形態の浴室ユニット１０を示す斜視図である。浴室ユニット１０は、浴槽１２と、浴槽１２に隣り合う位置に設けられる洗い場床１４と、浴室空間を内部に画定する複数の浴室壁部１６とを備える。浴室ユニット１０は、この他にも、浴室空間に配置される水栓装置１８、吐水装置２０、一次側ホース２２、二次側ホース２４及び機能ユニット２６を備える。
【００１１】
図２は、浴室ユニット１０に用いられる水路を示す構成図である。浴室ユニット１０は、水栓装置１８から吐水装置２０に至る給水路２８を有する。給水路２８の途中には機能ユニット２６のカートリッジ６２（後述する）が設けられる。給水路２８は、機能ユニット２６に設けられる一次側通水路３０、二次側通水路３２、バイパス通水路３４を有する。一次側通水路３０は、カートリッジ６２より上流側に設けられ、一次側ホース２２から原水が供給される。二次側通水路３２は、カートリッジ６２より下流側に設けられ、二次側ホース２４に原水や改質水を供給する。バイパス通水路３４は、カートリッジ６２の改質部７０（後述する）を迂回している。本実施形態のバイパス通水路３４は、一次側通水路３０の途中位置で分岐したうえで二次側通水路３２の途中位置で合流する。
【００１２】
図３は、機能ユニット２６を周辺構造とともに示す正面図である。水栓装置１８は、入浴者による流量操作部１８ａに対する操作を通じて、給水路２８に供給される水の流量を調整可能である。本実施形態の水栓装置１８は、入浴者による温度操作部１８ｂに対する操作を通じて、給水路２８に供給される水の温度も調整可能である。
【００１３】
吐水装置２０は、給水路２８から供給される水を吐き出すためのものである。本実施形態の吐水装置２０は、浴室壁部１６に対して可動であるシャワーヘッドであるが、カラン等でもよい。本実施形態の吐水装置２０は、後述する機能部品３６に支持されるシャワーフック４０に着け外し可能に設けられる。
【００１４】
一次側ホース２２や二次側ホース２４は可撓性がある。一次側ホース２２は水栓装置１８と機能ユニット２６を接続し、二次側ホース２４は機能ユニット２６と吐水装置２０を接続する。
【００１５】
機能ユニット２６は、主に、浴室用機能部品３６と、改質ユニット３８を備える。機能部品３６は、浴室に関連する機能を発揮するためのものである。この「機能」とは、本実施形態では浴室用物品４０や入浴者の荷重を受けることである。本実施形態での浴室用物品４０とはシャワーフックである（図１も参照）。本実施形態の機能部品３６は、シャワーフックや入浴者の荷重を受けるとともにシャワーフックをスライド可能に支持するスライドバーである。機能部品３６は、水栓装置１８から分離しており、水栓装置１８との間で一次側ホース２２や浴室壁部１６を介してのみ繋がっている。
【００１６】
図４は、機能ユニット２６の一部を示す側面図である。本実施形態の機能部品３６は、前述の荷重を受ける機能を発揮するための長尺部４２と、浴室壁部１６に長尺部４２を支持させる支持部４４、４６とを有する。本実施形態の長尺部４２は鉛直方向に沿って延びるように設けられる。支持部４４、４６は、浴室壁部１６から突き出るように設けられ、その浴室壁部１６にビス等の固定具を用いて固定される。機能部品３６は、浴室壁部１６に直接に固定されることになる。本実施形態の支持部４４、４６には、長尺部４２に繋がる上側支持部４４（第１支持部）と、上側支持部４４とは長尺部４２の長手方向の異なる箇所で長尺部４２に繋がる下側支持部４６（第２支持部）とが含まれる。
【００１７】
本実施形態の機能部品３６は、長尺部４２の少なくとも一部を構成するバー部材４８と、上側支持部４４を構成する上側ブラケット５０と、下側支持部４６を構成する下側ブラケット５２とを有する。各ブラケット５０、５２やバー部材４８は互いに別体である。
【００１８】
バー部材４８は、浴室用物品４０又は入浴者の荷重を受けるための受け部材となる。この荷重は、浴室用物品４０や入浴者から直接に受け部材に付与される。バー部材４８は直線状に延びる例を示すが、その一部が曲線状に延びていてもよい。バー部材４８は長手方向に沿って中空部が設けられる中空構造である例を示すが、中実構造でもよい。
【００１９】
上側ブラケット５０や下側ブラケット５２は、浴室壁部１６に受け部材を支持させるための支持部材となり、浴室壁部１６に直接に固定される。本実施形態の受け部材は支持部材を介して浴室壁部１６に固定されることになる。
【００２０】
バー部材４８は、少なくとも中間部が浴室壁部１６から隙間を空けて配置される。バー部材４８は、複数の長手方向で異なる箇所が浴室壁部１６に直接又は支持部材を介して支持される。本実施形態のバー部材４８は、その長手方向の両端部が支持部材を介して浴室壁部１６に支持される。
【００２１】
図５は、機能ユニット２６の一部を模式的に示す側面断面図である。下側ブラケット５２には、前述の一次側通水路３０、二次側通水路３２、バイパス通水路３４が形成される。下側ブラケット５２は、これら通水路３０、３２、３４が形成される水路形成部材５４となる。
【００２２】
図６は、機能ユニット２６の一部の斜視図である。水路形成部材５４は、一次側ホース２２が接続される第１ホース接続部５４ａと、二次側ホース２４が接続される第２ホース接続部５４ｂとを有する。本実施形態の第１ホース接続部５４ａは機能部品３６の下側支持部４６の下面部に設けられ、第２ホース接続部５４ｂは下側支持部４６の側面部に設けられる。
【００２３】
図２、図５に示すように、機能部品３６は、水路形成部材５４に組み込まれる水路切替機構５６を有する。水路切替機構５６は、水栓装置１８から一次側通水路３０に送られる原水の通水先を、改質水供給経路と原水供給経路の何れかに切り替えるためのものである。本実施形態の改質水供給経路は矢印Ｌａを辿る経路であり、一次側通水路３０、カートリッジ６２の改質部７０、二次側通水路３２を経由する。改質水供給経路は、カートリッジ６２の改質部７０により生成された改質水を吐水装置２０に供給可能である。本実施形態の原水供給経路は矢印Ｌｂを辿る経路であり、一次側通水路３０、バイパス通水路３４、二次側通水路３２を経由する。原水供給経路は、水栓装置１８から送られる原水を吐水装置２０に供給可能である。
【００２４】
水路切替機構５６は、切替弁５８と、切替弁５８を用いて原水の通水先を切り替えるために操作される操作部材６０とを有する。切替弁５８は三方弁等であり、操作部材６０はプッシュスイッチ、回転ハンドル等である。
【００２５】
改質ユニット３８は、機能部品３６と一体化されており、カートリッジ６２と、ケーシング６４とを有する。本実施形態の改質ユニット３８は、機能部品３６から突出するようにケーシング６４が設けられる点に一つの特徴がある。以下、ケーシング６４の突出方向をＰａという。
【００２６】
カートリッジ６２は、受け部材４８の外部に配置される。本実施形態のカートリッジ６２は、水路形成部材５４の外部にも配置されている。
【００２７】
カートリッジ６２は、給水路２８を流れる原水を改質可能であり、その原水を改質することで改質水を生成する。本明細書での「改質」とは、物理変化や化学変化を経て、特定の成分を原水から除去又は原水に付与することで、原水の組成や性質を変化させることをいう。物理変化を経る場合とは、たとえば、吸着による特定成分の除去、溶解による特定成分の付与である。化学変化を経る場合とは、たとえば、化学反応や電気分解による特定成分の除去や付与である。本実施形態のカートリッジ６２は、残留塩素の除去により原水を浄化可能であり、その原水を浄化することで改質水として浄水を生成する。
【００２８】
図２、図５に示すように、本実施形態のカートリッジ６２は、ケーシング６４の突出方向Ｐａに延びる長尺状をなす。カートリッジ６２は、一次側内部水路６６と、二次側内部水路６８と、改質部７０と、ハウジング７２と、を有する。
【００２９】
一次側内部水路６６は、給水路２８のカートリッジ６２より上流側の上流側水路から送られる水を受けるためのものである。ここでの上流側水路とは、本実施形態では機能部品３６の一次側通水路３０である。二次側内部水路６８は、給水路２８のカートリッジ６２より下流側の下流側水路に水を送るためのものである。ここでの下流側水路とは、本実施形態では機能部品３６の二次側通水路３２である。ハウジング７２は、一次側内部水路６６、二次側内部水路６８が内部に設けられ、改質部７０を内部に収容する。
【００３０】
改質部７０は、一次側内部水路６６に送られた原水を二次側内部水路６８に通すことができる。本実施形態の改質部７０は、一次側内部水路６６と二次側内部水路６８を隔てており、透水性及び定形性を持つ素材を用いて構成される。改質部７０は、一次側内部水路６６から二次側内部水路６８に原水を通すことで原水を改質可能である。本実施形態の改質部７０は、原水を浄化可能な素材を用いて構成される。この素材は、たとえば、活性炭、中空糸膜、亜硫酸カルシウム、アスコルビン酸等である。
【００３１】
本実施形態の改質部７０は筒状をなしており、その内側に一次側内部水路６６が形成される。本実施形態のハウジング７２も筒状をなしており、ハウジング７２と改質部７０の間に二次側内部水路６８が形成される。本実施形態の改質部７０の基端部には筒状の継手部材７４が設けられ、その継手部材７４の内側にも一次側内部水路６６が形成される。
【００３２】
ケーシング６４は、カートリッジ６２を収容する収容空間７６を有し、カートリッジ６２を保護する。ケーシング６４は、ケーシング６４の外部の浴室空間に露出する改質ユニット３８の最外表面を形成する。本実施形態のケーシング６４は、ケーシング６４の突出方向Ｐａに延びる筒状であって、先端部が底部になるとともに基端部に開口部６４ａが設けられる有底筒状をなす。本実施形態のケーシング６４の開口部６４ａは上向きに開いている。カートリッジ６２は、ケーシング６４の収容空間７６に嵌め込まれている。
【００３３】
ケーシング６４は、浴室壁部１６に直接に固定されておらず、浴室壁部１６から隙間７８を空けて設けられる。この隙間７８は、作業者の手を配置可能な寸法に設定され、たとえば、３ｃｍ以上の大きさに設定される。
【００３４】
図７は、改質ユニット３８の一部の拡大図である。図８は、機能部品３６から改質ユニット３８を取り外した状態を示す図である。ケーシング６４は、機能部品３６の被接続部３６ａに着脱可能に接続される接続部６４ｂを有する。機能部品３６の被接続部３６ａは、水路形成部材５４の一部からケーシング６４の突出方向Ｐａと同じ方向に突出する接続用突出部３６ｂに設けられる。この接続用突出部３６ｂは、機能部品３６の長尺部４２の下端部から突出しているとも捉えられる。ケーシング６４の接続部６４ｂは、ケーシング６４の先端部とは突出方向Ｐａの反対側の基端部に設けられる。これは、ケーシング６４は、その基端部以外の箇所で機能部品３６に接続されていないことを意味する。ケーシング６４は、その先端部を含む箇所で機能部品３６に接続されていないとも捉えられる。
【００３５】
カートリッジ６２は、機能部品３６の被取付部３６ｃ、３６ｄに着脱可能に取り付けられる取付部６２ａ、６２ｂを有する。機能部品３６の被取付部３６ｃ、３６ｄは、水路形成部材５４の接続用突出部３６ｂに設けられる。カートリッジ６２の取付部６２ａ、６２ｂは、カートリッジ６２の基端部に設けられる。
【００３６】
本実施形態の取付部６２ａ、６２ｂには、一次側内部水路６６を形成する第１内部水路形成部材に設けられる第１取付部６２ａと、二次側内部水路６８を形成する第２内部水路形成部材に設けられる第２取付部６２ｂとが含まれる。本実施形態での第１内部水路形成部材とは継手部材７４であり、第２内部水路形成部材とはハウジング７２である。
【００３７】
本実施形態の被取付部３６ｃ、３６ｄには、第１取付部６２ａが取り付けられる第１被取付部３６ｃと、第２取付部６２ｂが取り付けられる第２被取付部３６ｄとが含まれる。第１被取付部３６ｃは、機能部品３６の接続用突出部３６ｂに形成される先端面から窪む凹部の内周部に設けられる。第２被取付部３６ｄは、その接続用突出部３６ｂの外周部であって、被接続部３６ａより先端側で被接続部３６ａより縮径した箇所に設けられる。
【００３８】
以上の機能ユニット２６の効果を説明する。ケーシング６４は、機能部品３６に着脱可能に接続される。よって、カートリッジ６２の交換にあたり、ケーシング６４も交換できるようになる。このため、たとえば、新規のケーシング６４の寸法の大型化により、新規のカートリッジ６２の寸法も容易に大型化できる。この他にも、既存のケーシング６４にない機能を新規のケーシング６４に組み込める。この機能とは、たとえば、カートリッジ６２の寿命を表示する機能である。このように、本実施形態の機能ユニット２６によれば、カートリッジ６２の交換に伴う対応の自由度を高められる。
【００３９】
また、ケーシング６４は浴室壁部１６に直接に固定されていないため、機能部品３６からケーシング６４を容易に離脱させることができる。よって、カートリッジ６２の交換作業で良好な作業性を得られる。
【００４０】
また、機能部品３６は浴室壁部１６に固定され、その機能部品３６に改質ユニット３８が一体化される。よって、浴槽１２や洗い場床１４から浮いた位置に機能ユニット２６全体が配置され、浴槽１２や洗い場床１４を利用するうえで機能ユニット２６が邪魔になり難くなる。
【００４１】
図９は、機能部品３６に改質ユニット３８を装着する前の状態を示す断面図である。本実施形態によれば、機能部品３６から改質ユニット３８のケーシング６４やカートリッジ６２を取り外した状態で、改質ユニット３８を取り扱えるようになる。よって、ケーシング６４に収容した状態でカートリッジ６２を運搬することで、その運搬時にもカートリッジ６２をケーシング６４により保護できる。
【００４２】
なお、ケーシング６４の開口部６４ａは、ケーシング６４の基端部に着脱可能に取り付けられる蓋部材８０により閉じることができる。ケーシング６４及びカートリッジ６２は、ケーシング６４から蓋部材８０を取り外したとき、機能部品３６に装着可能な状態になる。
【００４３】
ケーシング６４は、機能部品３６から突出するように設けられ、その基端部が機能部品３６に着脱可能に接続される。よって、機能部品３６に対するケーシング６４の接続箇所がケーシング６４の基端部のみとなる。このため、ケーシング６４の機能部品３６との接続箇所が複数ある場合と比べ、その接続箇所の削減により機能部品３６との着脱作業での作業工数を削減でき、その着脱作業での作業性の向上を図れる。また、機能部品３６との接続箇所の削減により、機能部品３６との接続に要する構造の簡素化を図れる。
【００４４】
ケーシング６４は、図８に示すように、上向きに開いた開口部６４ａを有する有底筒状をなす。よって、機能部品３６からケーシング６４を離脱させるとき、ケーシング６４内に水が溜まっていても、その水が開口部６４ａからケーシング６４の外部にこぼれ難くなる。このため、機能部品３６からケーシング６４やカートリッジ６２を離脱させるとき、その周囲への水の飛散を防止でき、良好な作業性を得られる。
【００４５】
ケーシング６４は、浴室用物品４０の荷重を受けるための機能部品３６に着脱可能に接続される。よって、カートリッジ６２の交換作業で、機能部品３６の分解を伴わないため、機能部品３６により浴室用物品４０の荷重を受けた状態を維持できる。言い換えると、機能部品３６が支持している浴室用物品４０の位置を変えることなくカートリッジ６２を交換でき、良好な作業性を得られる。
【００４６】
ケーシング６４は、浴室壁部１６から隙間７８を空けて設けられるため、その隙間７８を作業空間として利用できる。よって、ケーシング６４と浴室壁部１６の間の隙間７８に手を入れることで、ケーシング６４の着脱作業をし易くなり、良好な作業性を得られる。
【００４７】
なお、本実施形態の機能ユニット２６は、ケーシング６４、カートリッジ６２の他に、水路形成部材５４や水路切替機構５６が単一のユニットとして一体化されている。よって、カートリッジ６２を用いた水の改質のみならず、水路切替機構５６を用いた改質の有無の切り替えを単一のユニットにより実現できる。
【００４８】
次に、機能ユニット２６の他の特徴を説明する。図７を参照する。機能部品３６の第１被取付部３６ｃとカートリッジ６２の第１取付部６２ａの間は第１シール部材８２によりシールされる。第１シール部材８２は、一次側通水路３０や一次側内部水路６６から他の箇所への漏水を規制可能である。本実施形態の第１シール部材８２は、一次側通水路３０や一次側内部水路６６と、二次側通水路３２や二次側内部水路６８との間での水の流通を規制可能である。機能部品３６の第２被取付部３６ｄとカートリッジ６２の第２取付部６２ｂの間は第２シール部材８４によりシールされる。第２シール部材８４は、二次側通水路３２や二次側内部水路６８から他の箇所への漏水を規制可能である。各シール部材８２、８４は、Ｏリング等の弾性体である。
【００４９】
ケーシング６４の基端部には、水路形成部材５４の一次側通水路３０や二次側通水路３２が通る単数の開口部６４ａが設けられる。本実施形態の給水路２８は、ケーシング６４の単数の開口部６４ａのみを通してケーシング６４内を経由するように設けられる。ケーシング６４には開口部６４ａとは他の箇所に給水路２８が通る他の開口部が設けられないことになる。給水路２８は、ケーシング６４外からケーシング６４内に至る往路部と、ケーシング６４内からケーシング６４外に至る復路部との両方が、ケーシング６４の単数の開口部６４ａのみを通るように設けられるとも捉えられる。本実施形態での往路部は水路形成部材５４の一次側通水路３０であるが、改質ユニット３８の一次側内部水路６６でもよい。また、本実施形態の復路部は水路形成部材５４の二次側通水路３２であるが、改質ユニット３８の二次側内部水路６８でもよい。
【００５０】
かりに、ケーシング６４に他の開口部を設けた場合、その開口部からの漏水を規制するために、カートリッジ６２と他の部材の間に他のシール部材を用いる必要がある。この点、本実施形態によれば、ケーシング６４の他の箇所に給水路２８が通る開口部を設ける場合と比べ、カートリッジ６２と他部材の間をシールするためのシール部材の個数を削減でき、カートリッジ６２の構造の簡素化を図れる。
【００５１】
図５を参照する。ケーシング６４は、浴室壁部１６の法線方向Ｐｂと交差する方向に突出するように設けられるとよい。ここでの法線方向Ｐｂとは、浴室壁部１６の内壁面を通る法線に沿った方向をいう。これにより、ケーシング６４が法線方向Ｐｂに沿って突出する場合と比べ、入浴者や他の物品との干渉が生じ難くなり、良好な使い勝手を得られる。この観点から、ケーシング６４の突出方向Ｐａの方向軸が浴室壁部１６の内壁面を通る法線に対してなす角度をθとしたとき、その角度θは４５°以上となるように設定されると好ましい。また、ケーシング６４の突出方向Ｐａは浴室壁部１６と平行であるとより好ましい。ここでの平行とは、幾何学的に厳密に平行な場合の他に、ほぼ平行な場合が含まれる。
【００５２】
ケーシング６４は、機能部品３６の長尺部４２の長手方向の延長上において、機能部品３６から長尺部４２の長手方向に突出するように設けられる。ケーシング６４は、長尺部４２の長手方向から見て、長尺部４２と重なる位置に配置され、その長尺部４２の長手方向と同じ方向に延びるように設けられるとも捉えられる。本実施形態のケーシング６４は、長尺部４２の端部から長手方向に突出するように設けられる。
【００５３】
これにより、機能部品３６の長尺部４２の長手方向と交差する方向にケーシング６４が出っ張らなくなる。よって、機能部品３６から他の方向に突出するようにケーシング６４が設けられる場合より、入浴者や他の物品（たとえば、二次側ホース２４）との干渉が生じ難くなり、良好な使い勝手を得られる。なお、ケーシング６４の外周面は、機能部品３６の長尺部４２の外周面と面一をなすように設けられる。
【００５４】
なお、同様の効果を得るうえで、ケーシング６４は、機能部品３６の長尺部４２の長手方向の延長上において、その長手方向に突出するように設けられていればよく、機能部品３６の長尺部４２以外の箇所から突出していてもよい。
【００５５】
図７を参照する。機能部品３６には、カートリッジ６２内に水が流出する一次側通水路３０の水流出口３０ａが設けられる。本実施形態の水流出口３０ａは下向きに開いている。よって、機能部品３６の被取付部３６ｃからカートリッジ６２を取り外したとき、誤操作により水栓装置１８から給水路２８に原水が供給されても、水流出口３０ａが上向きに開いている場合と比べ、その周囲への飛散を防止できる。
【００５６】
なお、機能部品３６には、カートリッジ６２内から水が流入する二次側通水路３２の水流入口３２ａが設けられる。本実施形態の水流入口３２ａも下向きに開いている。詳しくは、本実施形態の水流出口３０ａ及び水流入口３２ａは鉛直線に沿うように下向きに開いている。
【００５７】
図１０は、図３の改質ユニット３８の周辺構造の拡大図である。図５、図１０に示すように、一次側ホース２２は、ケーシング６４と浴室壁部１６の間の隙間７８に配置される。一次側ホース２２は、浴室壁部１６の正面から見て、ケーシング６４の奥側でケーシング６４と重なる位置に配置される。この利点を説明する。
【００５８】
入浴者や他の物品が一次側ホース２２に当たることで、一次側ホース２２が浴室壁部１６の法線方向Ｐｂに意図せず動こうとしたときを考える。このとき、一次側ホース２２の動きを浴室壁部１６とケーシング６４により拘束でき、一次側ホース２２が大きく動いてしまうのを防止できる。また、浴室壁部１６に近い箇所に一次側ホース２２が配置されるレイアウトとなるため、浴室空間を利用するうえで一次側ホース２２に入浴者が干渉し難くなり、良好な使い勝手を得られる。
【００５９】
図１１は、図７の矢視Ｐｅから機能部品３６の被接続部３６ａを見た図である。本図では、機能部品３６から分離したケーシング６４の接続部６４ｂも併せて示す。図７、図１１に示すように、ケーシング６４の接続部６４ｂと機能部品３６の被接続部３６ａの一方にはガイド凹部８６が設けられ、他方にはガイド凸部８８が設けられる。本実施形態においてガイド凹部８６は機能部品３６、ガイド凸部８８はケーシング６４に設けられる。ガイド凹部８６とガイド凸部８８は、互いに接触することにより、機能部品３６にケーシング６４を着脱するときにケーシング６４の動きをガイド可能なガイド機構を構成する。
【００６０】
ケーシング６４の接続部６４ｂは、ガイド機構によりガイドされることで、機能部品３６の被接続部３６ａに第１着脱方向Ｐｃでの動きを伴い着脱可能である。本実施形態での第１着脱方向Ｐｃは、ケーシング６４の突出方向Ｐａに沿った方向である。第１着脱方向Ｐｃの一方側（図中下側）は機能部品３６からケーシング６４が離脱するときにケーシング６４が動く離脱方向となる。第１着脱方向Ｐｃの他方側（図中上側）は機能部品３６にケーシング６４を装着するときにケーシング６４が動く装着方向となる。
【００６１】
本実施形態のガイド凹部８６はケーシング６４の第１着脱方向Ｐｃに沿って延びる第１溝状部８６ａと、第１溝状部８６ａの装着方向の末端部に連なり機能部品３６の被接続部３６ａ周りの周方向に延びる第２溝状部８６ｂとを有する。
【００６２】
本実施形態のケーシング６４の接続部６４ｂは、ケーシング６４の装着方向に動いてから、機能部品３６の被接続部３６ａ周りに回転することで、機能部品３６の被接続部３６ａに装着可能である。これは、ガイド機構によりガイドされることで実現される。ガイド凸部８８は、機能部品３６に装着された状態にあるとき、ガイド凹部８６の第２溝状部８６ｂ内に配置される。これにより、ガイド凹部８６の第２溝状部８６ｂの内壁面にガイド凸部８８が当たることでケーシング６４の離脱方向での変位が規制され、機能部品３６に対する位置が保持される。
【００６３】
また、本実施形態のケーシング６４の接続部６４ｂは、機能部品３６の被接続部３６ａ周りの両側に回転させることで、機能部品３６から離脱方向に離脱可能な離脱可能状態と、離脱方向に離脱不能な離脱不能状態とが切り替えられる。ガイド凸部８８は、離脱可能状態にあるとき、ガイド凹部８６の第１溝状部８６ａの末端部に配置され、離脱不能状態にあるとき、ガイド凹部８６の第２溝状部８６ｂ内に配置される。
【００６４】
なお、ガイド凹部８６には、第２溝状部８６ｂ内から第１溝状部８６ａ内へのガイド凸部８８の移動を規制するストッパ部８６ｃが設けられる。本実施形態のストッパ部８６ｃは第２溝状部８６ｂの内壁面から突き出る凸部である。ガイド凸部８８は機能部品３６の被接続部３６ａ周りに強く回転させることで、ガイド凸部８８やストッパ部８６ｃの弾性変形を伴い第２溝状部８６ｂ内を移動可能である。
【００６５】
カートリッジ６２の取付部６２ａ、６２ｂは、機能部品３６の被取付部３６ｃ、３６ｄに第２着脱方向Ｐｄでの動きを伴い着脱可能である。本実施形態の第２着脱方向Ｐｄは、ケーシング６４の突出方向Ｐａに沿った方向、つまり、第１着脱方向Ｐｃと同じ方向である。
【００６６】
図８に示すように、本実施形態のケーシング６４及びカートリッジ６２は、ケーシング６４内にカートリッジ６２を収容した状態で機能部品３６に装着可能に構成される。これを実現するため、本実施形態のケーシング６４の第１着脱方向Ｐｃとカートリッジ６２の第２着脱方向Ｐｄは同じ方向に設定される。本実施形態のケーシング６４やカートリッジ６２は、機能部品３６に装着するとき、それらを着脱方向Ｐｃ、Ｐｄの一方側となる装着方向（図中上向き）に動かしてから、ケーシング６４を機能部品３６の被接続部３６ａ周りに回転させる。
【００６７】
これにより、カートリッジ６２の交換作業で、ケーシング６４の装着作業とカートリッジ６２の装着作業を別々にせずともよくなり、良好な作業性を得られる。また、ケーシング６４内にカートリッジ６２を収容してから両者を機能部品３６に装着することになる。よって、ケーシング６４とカートリッジ６２の間での異物の噛み込みの有無を手元で確認したうえで、両者を機能部品３６に装着でき、その異物の混入を把握し易い利点がある。
【００６８】
図１２は、機能部品３６からケーシング６４を離脱させる途中状態を示す図である。カートリッジ６２のハウジング７２には抜け止め部９０が設けられる。本実施形態の抜け止め部９０はハウジング７２の外周部に突部として設けられる。抜け止め部９０は、ケーシング６４の係合部として機能するガイド凸部８８と係合することにより、ケーシング６４の開口部６４ａからのカートリッジ６２の抜けを規制する。
【００６９】
機能部品３６からケーシング６４が離脱しようとしたとき、ケーシング６４のガイド凸部８８がカートリッジ６２の抜け止め部９０と係合することで、カートリッジ６２もケーシング６４から離脱可能となる。このとき、ケーシング６４及びカートリッジ６２は、ケーシング６４内にカートリッジ６２を収容した状態で機能部品３６から離脱する。ケーシング６４及びカートリッジ６２は、ケーシング６４内にカートリッジ６２を収容した状態で機能部品３６から離脱可能に構成されていると捉えられる。これにより、カートリッジ６２の交換作業で、ケーシング６４の離脱作業とカートリッジ６２の離脱作業を別々にせずともよくなり、良好な作業性を得られる。
【００７０】
なお、カートリッジ６２は、ケーシング６４の開口部６４ａから抜き出す方向に強く引くことで、ケーシング６４の弾性変形を伴い、ケーシング６４の開口部６４ａから取り出し可能である。
【００７１】
図６に示すように、改質ユニット３８は、カートリッジ６２の寿命に関する寿命情報を表示可能な寿命情報表示部９２を有する。本実施形態の寿命情報表示部９２は、レベルメータにより構成される例を示すが、他のメータ、ディスプレイ、ランプ等により構成されてもよい。
【００７２】
寿命情報は、たとえば、カートリッジ６２の残り寿命に関する情報である。この残り寿命情報は、たとえば、カートリッジ６２の交換が必要と想定される所定の基準通水量に対する実通水量の割合を用いて表示される。この残り寿命情報は、たとえば、指針付メータ、レベルメータ等のメータを用いてアナログ表示又はデジタル表示されたり、数字や文字を用いてデジタル表示される。寿命情報は、この他にも、カートリッジ６２の寿命の終期の到来を示す情報でもよい。この情報は、たとえば、カートリッジ６２の実通水量が基準通水量を超えたときに、ランプを点灯させることで表示される。カートリッジ６２の通水量は、たとえば、カートリッジ６２の通水量を流量センサを用いて計測し、その計測値に基づき算出される。
【００７３】
寿命情報表示部９２は、シャワーフック４０がスライド可能な機能部品３６のバー部材４８（受け部材）とは異なる位置に設けられる。本実施形態の寿命情報表示部９２は、ケーシング６４の一部に浴室空間から視認可能に設けられる。よって、シャワーフック４０（浴室用物品）により寿命情報表示部９２が視認不能となる事態を避けられ、良好な使い勝手を得られる。
【００７４】
（その他）
次に、機能ユニット２６に用いられる水路の態様を説明する。図１３、図１４は、機能部品３６に対する一次側ホース２２や二次側ホース２４の接続位置を示す模式図である。欄の上段は一次側ホース２２の接続位置、欄の下段は二次側ホース２４の接続位置を示す。欄の上段と下段とは互いに組み合わせ可能な例を示す。
【００７５】
図１３（ａ）では、機能部品３６の下側支持部４６に一次側ホース２２が接続される例を示す。一次側ホース２２は、浴室壁部１６の裏側を経由せずに機能部品３６に接続される。
【００７６】
図１３（ｂ）では、機能部品３６の下側支持部４６に二次側ホース２４が接続される例を示す。機能ユニット２６の一次側通水路３０は機能部品３６の下側支持部４６、長尺部４２を経由する。改質ユニット３８の内部水路６６、６８はカートリッジ６２（不図示）内を往復するように設けられる。機能ユニット２６の二次側通水路３２は、機能部品３６の長尺部４２、下側支持部４６を経由する。
【００７７】
図１３（ｃ）では、機能部品３６の上側支持部４４に二次側ホース２４が接続される例を示す。本例では、機能部品３６の二次側通水路３２が図１３（ｂ）の例と異なり、機能部品３６の長尺部４２、上側支持部４４を経由する。
【００７８】
図１４（ａ）では、一次側ホース２２は、浴室壁部１６の裏側を経由して機能部品３６の下側支持部４６に接続される例を示す。図１４（ｂ）、図１４（ｃ）は、図１３（ｂ）、図１３（ｃ）と同様である。
【００７９】
以上、本発明の実施形態の例や変形例について詳細に説明した。前述した実施形態や変形例は、いずれも本発明を実施するにあたっての具体例を示したものにすぎない。実施形態や変形例の内容は、本発明の技術的範囲を限定するものではなく、請求の範囲に規定された発明の思想を逸脱しない範囲において、構成要素の変更、追加、削除等の多くの設計変更が可能である。前述の実施形態では、このような設計変更が可能な内容に関して、「実施形態の」「実施形態では」等との表記を付して強調しているが、そのような表記のない内容でも設計変更が許容される。また、図面の断面に付したハッチングは、ハッチングを付した対象の材質を限定するものではない。
【００８０】
機能部品３６の「機能」は、浴室用物品４０や入浴者の荷重を受けることである例を説明した。この浴室用物品４０は、シャワーフックに限定されず、たとえば、シャワーヘッド、風呂蓋、ホース等でもよい。これらは、いずれも浴室壁部１６に対して可動である浴室用物品４０と捉えられる。機能部品３６は、シャワーヘッドの荷重を受ける場合はシャワーフックとなり、風呂蓋の荷重を受ける場合は風呂蓋フックとなり、ホースの荷重を受ける場合はホースフックとなる。また、機能部品３６の「機能」は、入浴者の荷重を受けることである場合、スライドバーの他にも、たとえば、単なる手すり等でもよい。また、機能部品３６の「機能」は、浴室に関連する機能であって、水の改質とは別の機能を発揮するためのものであればよく、その具体例は前述の例に限定されない。
【００８１】
機能部品３６の長尺部４２は、その延びる方向に関して特に限定されず、水平方向に沿って延びるように設けられてもよい。機能部品３６の支持部４４、４６はブラケット５０、５２が構成する例を説明したが、バー部材４８が構成してもよい。
【００８２】
機能部品３６の水路形成部材５４は水路切替機構５６を有しなくともよい。水路形成部材５４の一次側通水路３０の水流出口３０ａや二次側通水路３２の水流入口３２ａは鉛直線に沿うように下向きに開いている例を説明した。この他にも、鉛直線に対して大きく傾斜して下向きに開いていてもよいし、上向きに開いていてもよい。
【００８３】
カートリッジ６２は、ケーシング６４に全体が収容される例を説明した。カートリッジ６２は、少なくとも一部が収容されていればよく、その一部が機能部品３６の内部に収容されていてもよい。
【００８４】
カートリッジ６２は、ケーシング６４の突出方向Ｐａに延びる長尺状である例を説明したが、その形状は特に限定されない。また、ケーシング６４は、カートリッジ６２のハウジング７２と別体である例を説明したが、ハウジング７２を兼ねていてもよい。
【００８５】
カートリッジ６２は、原水の改質態様として、原水の浄化を例に説明したが、これに限定されない。たとえば、美容成分、臭い成分、炭酸成分、水素成分の付与等でもよい。
【００８６】
ケーシング６４は、機能部品３６から突出するように設けられる例を説明したが、これに限定されない。また、ケーシング６４は、機能部品３６から突出するように設けられる場合でも、その基端部以外の複数箇所で機能部品３６に接続されてもよい。また、ケーシング６４は、ケーシング６４の基端部とは異なる箇所に給水路２８の通る開口部が設けられてもよい。
【００８７】
ケーシング６４は、良好な使い勝手を得るため、機能部品３６の長尺部４２の延長上において、機能部品３６から長尺部４２の長手方向に下側に突出する例を説明した。この効果を得る観点から、長尺部４２が鉛直方向に延びる場合、機能部品３６から長尺部４２の長手方向に上側に突出していてもよい。
【００８８】
ケーシング６４は、浴室壁部１６から隙間７８を空けて設けられる例を説明した。ケーシング６４は、浴室壁部１６に直接に固定されていなければよく、浴室壁部１６や機能部品３６と接触していてもよい。また、この隙間７８には、一次側ホース２２ではなく、二次側ホース２４が配置されていてもよい。
【００８９】
ケーシング６４の第１着脱方向Ｐｃはケーシング６４の突出方向Ｐａに沿った方向である例を説明したが、ケーシング６４の突出方向Ｐａと無関係に設定されてもよい。ケーシング６４は、ケーシング６４の第１着脱方向Ｐｃでの動きと、機能部品３６の被接続部３６ａ周りでの回転とを伴い、機能部品３６に着脱可能である例を説明した。ケーシング６４は、第１着脱方向Ｐｃでの動きを伴い着脱可能であればよく、回転の有無や他の動きの要否は特に問わない。
【００９０】
ケーシング６４及びカートリッジ６２は、ケーシング６４内にカートリッジ６２を収容した状態で機能部品３６に装着可能かつ離脱可能である例を説明した。カートリッジ６２とケーシング６４は、機能部品３６に別々に装着可能でもよいし、機能部品３６から別々に離脱可能でもよい。
【００９１】
ケーシング６４及びカートリッジ６２を機能部品３６から一体的に離脱可能に構成するため、抜け止め部９０と係合部の組み合わせを用いる例を説明したが、そのための具体的手段は特に限定されない。たとえば、ケーシング６４内へのカートリッジ６２の圧入、ケーシング６４内にカートリッジ６２をロック可能なロック機構等を用いてもよい。
【００９２】
ケーシング６４は、ガイド凹部８６とガイド凸部８８が構成するガイド機構を用いて、機能部品３６に着脱可能に接続される例を説明したが、着脱可能に接続するための具体的構造は特に限定されない。たとえば、スナップフィット、磁力を用いて着脱可能に接続されてもよいし、ネジ、クリップ等を用いて着脱可能に接続されてもよい。
【００９３】
以上の実施形態、変形例により具体化される発明を一般化すると、以下の技術的思想が導かれる。以下、発明が解決しようとする課題に記載の態様を用いて説明する。
【００９４】
第２態様の浴室用機能ユニットは、第１態様において、前記ケーシングは、前記機能部品から突出するように設けられ、その基端部が前記機能部品に着脱可能に接続されてもよい。
この態様によれば、ケーシングの機能部品との接続箇所が複数ある場合と比べ、その接続箇所の削減により機能部品との着脱作業での作業性の向上を図れる。
【００９５】
第３態様の浴室用機能ユニットは、第２態様において、前記基端部には、前記給水路が通る開口部が設けられ、前記給水路は、前記開口部のみを通して前記ケーシングの外内を出入りするように設けられてもよい。
この態様によれば、ケーシングの他の箇所に給水部が通る開口部を設ける場合と比べ、カートリッジと他部材の間をシールするためのシール部材の個数を削減でき、カートリッジの構造の簡素化を図れる。
【００９６】
第４態様の浴室用機能ユニットは、第２態様または第３態様において、前記ケーシングは、前記浴室壁部の法線方向と交差する方向に突出するように設けられてもよい。
この態様によれば、ケーシングが法線方向に沿って突出する場合と比べ、入浴者や他の物品との干渉が生じ難くなり、良好な使い勝手を得られる。
【００９７】
第５態様の浴室用機能ユニットは、第２態様から第４態様のいずれかにおいて、前記機能部品は、長尺部を有し、前記ケーシングは、前記長尺部の長手方向の延長上において、前記機能部品から前記長手方向に突出するように設けられてもよい。
この態様によれば、機能部品から他の方向に突出するようにケーシングが設けられる場合より、入浴者や他の物品との干渉が生じ難くなり、良好な使い勝手を得られる。
【００９８】
第６態様の浴室用機能ユニットは、第１態様から第５態様のいずれかにおいて、前記ケーシングは、上向きに開いた開口部を有する有底筒状をなしてもよい。
この態様によれば、機能部品からケーシングを離脱させるとき、ケーシング内に水が溜まっていても、その水が開口部からケーシングの外部にこぼれ難くなる。
【００９９】
第７態様の浴室用機能ユニットは、第１態様から第６態様のいずれかにおいて、前記ケーシング及び前記カートリッジは、前記ケーシング内に前記カートリッジを収容した状態で前記機能部品に装着可能に構成されてもよい。
この態様によれば、カートリッジの交換作業で、ケーシングの装着作業とカートリッジの装着作業を別々にせずともよくなり、良好な作業性を得られる。
【０１００】
第８態様の浴室用機能ユニットは、第１態様から第７態様のいずれかにおいて、
前記ケーシング及び前記カートリッジは、前記ケーシング内に前記カートリッジを収容した状態で前記機能部品から離脱可能に構成される
この態様によれば、カートリッジの交換作業で、ケーシングの離脱作業とカートリッジの離脱作業を別々にせずともよくなり、良好な作業性を得られる。
【０１０１】
第９態様の浴室用機能ユニットは、第１態様から第８態様のいずれかにおいて、前記機能部品は、浴室用物品又は入浴者の荷重を受けるためのものであってもよい。
【０１０２】
第１０態様の浴室用機能ユニットは、第１態様から第９態様のいずれかにおいて、前記ケーシングは、前記浴室壁部から隙間を空けて配置されてもよい。
この態様によれば、ケーシングと浴室壁部の間の隙間に手を入れることで、ケーシングのの着脱作業をし易くなり、良好な作業性を得られる。
【０１０３】
第１１態様の浴室用機能ユニットは、第１０態様において、前記隙間には、前記機能部品に接続されるホースが配置されてもよい。
この態様によれば、浴室壁部とケーシングによりホースの意図しない動きを拘束でき、ホースが大きく動いてしまうのを防止できる。
【０１０４】
第１２態様の浴室用機能ユニットは、第１態様から第１１態様のいずれかにおいて、前記機能部品は、前記給水路において前記カートリッジより上流側に設けられる一次側通水路を有し、前記カートリッジ内に水が流出する前記一次側通水路の水流出口は、下向きに開いていてもよい。
この態様によれば、機能部品からカートリッジを取り外したとき、誤操作により水栓装置から給水路に原水が供給されても、水流出口が上向きに開いている場合と比べ、その周囲への飛散を防止できる。
【符号の説明】
【０１０５】
１６…浴室壁部、１８…水栓装置、２０…吐水装置、２６…機能ユニット、２６…浴室用機能ユニット、２８…給水路、３０…一次側通水路、３０ａ…水流出口、３２…二次側通水路、３６…浴室用機能部品、３８…改質ユニット、４０…浴室用物品、４２…長尺部、６２…カートリッジ、６４…ケーシング、６４ａ…開口部、７８…隙間。
【図１】
2019082084.tif 000003
【図２】
2019082084.tif 000004
【図３】
2019082084.tif 000005
【図４】
2019082084.tif 000006
【図５】
2019082084.tif 000007
【図６】
2019082084.tif 000008
【図７】
2019082084.tif 000009
【図８】
2019082084.tif 000010
【図９】
2019082084.tif 000011
【図１０】
2019082084.tif 000012
【図１１】
2019082084.tif 000013
【図１２】
2019082084.tif 000014
【図１３】
2019082084.tif 000015
【図１４】
2019082084.tif 000016